(57)【要約】      （修正有）【課題】発光ダイオード４０ａ、４０ｂからそれぞれから出射される光が混色して出射することを抑制する。【解決手段】赤色発光ダイオード４０ｂが点灯したとき、赤色発光ダイオード４０ｂから出射される赤色光が指針導光部３１内に入射されると、この赤色光は指針導光部３１により指針の回転基部２１に入射される。また、赤色発光ダイオード４０ｂから出射される赤色光が指針導光部３１内に入射されると、この赤色光が指針導光部３１から接続部に伝搬するものの、この赤色光が延出部から円弧部３３ｃに伝搬して減衰する。さらに、連結部３３ｄでも、赤色光が、より一層減衰することになる。【選択図】図３
2005024530.tif 000002
【特許請求の範囲】
【請求項１】
表示板（２０）と、
前記表示板上にて回転する指針（１０ａ、１０ｂ）と、
前記表示板の裏面側に配置されて、光をそれぞれ照射する第１及び第２の光源（４０ａ、４０ｂ）と、
前記第１の光源から出射される光を前記表示板の裏面に導いて前記表示板を照明する第１の導光部（３２）と、
前記第２の光源から出射される光を前記指針の回転基部（２１）に導いて前記指針を照明する第２の導光部（３１）と、
前記第１および第２の導光部の間を接続するための接続部（３３）と、を備える指針装置であって、
前記接続部は、前記指針の回転方向に迂回するように形成される迂回部（３３ｃ）を有して構成されているものであることを特徴とする指針装置。
【請求項２】
前記接続部は、略Ｌ字状に曲がるように形成されて前記迂回部及び前記第１の導光部の間を接続するＬ字部（３３ｄ、３３ｅ、３３ｆ）を有していることを特徴とする請求項１に記載の指針装置。
【請求項３】
前記第１及び第２の導光部の間を仕切るための仕切り部（６２、６３）を備えていることを特徴とする請求項１または２に記載の指針装置。
【請求項４】
前記仕切り部は、前記指針の回転軸に対して同心円状で、かつ、二重構造に形成されているものであることを特徴とする請求項３に記載の指針装置。
【請求項５】
前記仕切部材の前記表示板側には、凹部（６２ｃ、６３ｃ）が形成されており、
前記接続部（３３ａ、３３ｄ）は、前記凹部内に位置することを特徴とする請求項４に記載の指針装置。
【請求項６】
前記仕切部材には、前記接続部に係合する係合部（６３ａ）が設けられていることを特徴とする請求項３又は４に記載の指針装置。
【請求項７】
前記表示板には、ユーザに向けて表示する表示部（１０４）が設けられており、
前記表示部は、前記接続部に掛かるように配置されていることを特徴とする請求項１ないし６のいずれか１つに記載の指針装置。
【発明の詳細な説明】
【技術分野】
【０００１】
本発明は、表示板上を回転する指針を有する指針装置に関する。
【背景技術】
【０００２】
従来、指針装置においては、目盛り盤と、この目盛り盤上にて回転する指針と、目盛り盤の裏側に配置される回路基板と、回路基板の表面側に配置される第１及び第２発光ダイオード（光源）と、第１の発光ダイオードから出射される光を目盛り盤の裏面に導いてこの目盛り盤を照明する第１の導光部と、第２の発光ダイオードから出射される光を指針の回転基部に導いて指針を照明するための第２の導光部と、を備えているものがある（例えば、特許文献１参照）。
【０００３】
このものにおいては、部品点数の増加を抑えるために、第１及び第２の導光部を一体成型された導光部材を用いている。ここで、目盛り盤は、第１の導光部からの光を透過する透過部、および、第１の導光部からの光を遮光する非透過部とから構成されている。そして、第１および第２の導光部の間を接続するための接続部を、目盛り盤のうち非透過部に対応する位置に配置している。
【０００４】
このため、第２の発光ダイオードから出射される光が第２の導光部及び接続部を通して目盛り盤に出射されるのを防止することにより、第１及び第２の発光ダイオードの双方から光が混色して目盛り盤にて出射されることを防止している。
【特許文献１】特許第３３２６７９２号公報
【発明の開示】
【発明が解決しようとする課題】
【０００５】
ところで、上述の指針装置においては、接続部を通して第２の発光ダイオードから光が目盛り盤に漏れるのを防止するために、目盛り盤には必ず非透過部を設けることが必要になる。
【０００６】
このため、第１及び第２の導光部を接続する強度を増すために接続部を大きくすると、非透過部を大きくすることが必要になる。しかし、指針装置の全体の大きさとしては制限があるので、目盛り盤のうち透過部を大きくすることができない。
【０００７】
本発明は、上記点に鑑みて、第１および第２の導光部の間を連結する接続部の形状を工夫して、非透過部に関わりなく、第１及び第２の光源のそれぞれから出射される光が混色して出射することを抑制するようにした指針装置を提供することを目的とする。
【課題を解決するための手段】
【０００８】
上記目的を達成するため、請求項１に記載の発明では、表示板（２０）と、表示板上にて回転する指針（１０ａ、１０ｂ）と、表示板の裏面側に配置されて、光をそれぞれ照射する第１及び第２の光源（４０ａ、４０ｂ）と、第１の光源から出射される光を表示板の裏面に導いて表示板を照明する第１の導光部（３２）と、第２の光源から出射される光を指針の回転基部（２１）に導いて指針を照明する第２の導光部（３１）と、第１および第２の導光部の間を接続するための接続部（３３）と、を備える指針装置であって、接続部は、指針の回転方向に迂回するように形成される迂回部（３３ｃ）を有して構成されているものであることを特徴としている。
【０００９】
請求項１に記載の発明によれば、接続部は、回転方向に迂回するように形成される迂回部を有している。したがって、接続部として、第１、第２の導光部の間を径方向に延びて接続するように形成する場合に比べて、第１、第２の導光部の間における光の伝搬経路長が長くなる。このため、第１、第２の導光部から光が接続部に伝搬してくるものの、接続部での光の減衰量を増やすことができる。このため、上述の従来技術で用いられた非透過部に関わりなく、接続部から出射される光量を少なくすることができ、第１、第２の導光部からの光が混色して出射されるのを抑制できる。なお、「径方向」とは、指針の回転方向に対して垂直となる方向である。
【００１０】
また、請求項２に記載の発明では、接続部は、略Ｌ字状に曲がるように形成されて前記迂回部及び前記第１の導光部の間を接続するＬ字部（３３ｄ、３３ｅ、３３ｆ）を有していることを特徴とする。
【００１１】
したがって、接続部として、迂回部及び第１の導光部の間を径方向に延びて接続するように形成する場合に比べて、光の伝搬経路長が長くなるので、迂回部及び第１の導光部の間で光の減衰量を増やすことができる。このため、第１、第２の導光部からの光が混色して出射するのを、より一層、抑制することができる。
【００１２】
さらに、請求項３に記載の発明では、第１及び第２の導光部の間を仕切るための仕切り部（６２、６３）を備えていることを特徴としている。
【００１３】
これにより、第１及び第２の導光部のうち一方から他方に光が漏れるのを抑制できるので、第１、第２の導光部からの光が混色して出射するのを、さらに、抑制することができる。
【００１４】
また、請求項４に記載の発明のように、仕切り部としては、指針の回転軸に対して同心円状で、かつ、二重構造に形成されているものを用いれば、第１及び第２の導光部のうち一方から他方に光が漏れるのを、より一層、抑制できるので、第１、第２の導光部からの光が混色して出射するのを、さらに一層、抑制することができる。
【００１５】
ここで、請求項５に記載の発明のように、仕切部材の表示板側には、凹部（６２ｃ、６３ｃ）が形成されており、接続部（３３ａ、３３ｄ）は、凹部内に位置するようにしてもよい。
【００１６】
さらに、請求項６に記載の発明のように、仕切部材において、接続部に係合する係合部（６３ａ）を設けるようにしてもよい。
【００１７】
ところで、第１及び第２の導光部からの光が混色して接続部から漏れる場合には、表示板の表示部（１０４）を接続部に掛かるように配置すると、接続部から漏れた光で表示部が照明されるといった不具合が生じる。したがって、表示板の表示部としては、接続部に掛かるように配置することができない。
【００１８】
これに対して、上述の請求項１に記載の発明では、接続部での光の減衰量を増やすことができるので、第１及び第２の導光部からの光が接続部で漏れるのを抑制できる。したがって、表示板の表示部に関わりなく、接続部を自由に設計することができる。このため、例えば、請求項７に記載の発明のように、表示部としては、接続部に掛かるように配置することもできる。
【００１９】
なお、上記各手段の括弧内の符号は、後述する各実施形態に記載の具体的手段との対応関係を示す一例である。
【発明を実施するための最良の形態】
【００２０】
（第１実施形態）
【００２１】
以下、本発明の指針装置が適用されるコンビネーションメータの一実施形態を図１〜図５に基づいて説明する。図１は、コンビネーションメータの正面図である。
【００２２】
コンビネーションメータは、図１に示すように、指針１０ａ、１０ｂおよび目盛り板２０を備えており、指針１０ａ、１０ｂは、後述する指針軸により回動されて目盛り板２０上をそれぞれ回転する。なお、図１中符号Ｋａ、Ｋｂは、キャップである。
【００２３】
目盛り板２０は、車速、エンジン回転数を示す円弧状目盛りＲ、Ｓを表示するための表示板であって、アクリル樹脂等の導光性の透明板部材の表面上に文字（車速、エンジン回転数）、円弧状目盛り、単位（×１０００ｒ／ｍｉｎ、ｋｍ／ｈ）などが表示部として印刷成形して構成されている。
【００２４】
ここで、目盛り板２０の裏側には、図２に示すような導光部材３０が設けられている。図２は、導光部材３０のうち指針１０ａ側の部分だけを示す斜視図である。以下、導光部材３０のうち指針１０ａ側の部分（エンジン回転計）について図２〜図５を用いて説明する。
【００２５】
先ず、導光部材３０は、アクリル樹脂等の導光性の透明樹脂材料により一体成形されたもので、指針導光部３１、目盛り盤導光部３２、および接続部３３等から構成されている。
【００２６】
ここで、指針導光部３１は、指針軸８０をほぼ中心軸とする筒状形状に形成されており、指針導光部３１は、赤色発光ダイオード４０ｂから赤色光を指針１０ａの回転基部２１に導いて指針１０ａを照明するためのものである。目盛り盤導光部３２は、目盛り板２０の裏面に沿う略板状に形成され、かつ、指針軸８０をほぼ中心軸とする扇子状に形成されており、目盛り盤導光部３２は、白色発光ダイオード４０ａから白色光を目盛り板２０の裏面に導いて目盛り板２０を照明するためのものである。
【００２７】
接続部３３は、指針導光部３１および目盛り盤導光部３２の間を接続するためのものであり、接続部３３は、指針導光部３１から径方向に延出する延出部３３ａ、３３ｂ（図２参照）を備えている。但し、径方向とは、指針軸８０（つまり、指針１０ｂ）の回転方向に対して垂直の方向のことであって、例えば、図１中の指針１０ｂが指す方向に一致している。
【００２８】
また、接続部３３には、円弧部３３ｃおよび連結部３３ｄ〜３３ｇ（図２参照）が設けられており、円弧部３３ｃは、延出部３３ａから指針軸８０の回転方向に迂回して延出部３３ｂに接続するように形成されている。連結部３３ｄ〜３３ｇは、円弧部３３ｃの上壁から目盛り盤２０側に延出したのち目盛り盤導光部３２側に屈曲するようにそれぞれ形成されている。
【００２９】
つまり、図３に示すように、連結部３３ｄ〜３３ｇは、Ｌ字状に形成されて、円弧部３３ｃの上壁および目盛り盤導光部３２の内壁の間をそれぞれ接続するものである。なお、図３は、連結部３３ｄの断面形状を示す断面図である。
【００３０】
また、コンビネーションメータには、図３に示すように、回路基板５０、ケース６０および回動内機７０が設けられており、回路基板５０は、目盛り板２０の裏側に配置されている。この回路基板５０には、赤色発光ダイオード４０ｂ、白色発光ダイオード４０ａが実装されている。ケース６０は、図３に示すように、回路基板５０および目盛り板２０の間に配設されており、ケース６０は、底壁部６１、内側仕切部６２および外側仕切部６３から構成されている。
【００３１】
底壁部６１は、目盛り盤導光部３２の裏面に沿うように形成されており、内側仕切部６２は、指針軸８０を中心軸とする筒状に形成されている。このことにより、指針導光部３１を径方向外側から囲むように形成されて、指針導光部３１から径方向外側に漏れる光を遮断する役割を果たす。
【００３２】
ここで、内側仕切部６２の目盛り板２０側には、図４（図中には１つの凹部だけを６２ｃを示す）に示すように２つの凹部６２ｃが設けられており、２つの凹部６２ｃには、延出部３３ａ、３３ｂがそれぞれ嵌合している。なお、図４は、内側仕切部６２及び延出部３３ａにおいて図２中Ｃ−Ｃ断面に相当する断面図である。
【００３３】
また、外側仕切部６３は、接続部３３の円弧部３３ｃに対して径方向外側に配置されて、指針軸８０を中心軸とする筒状に形成されている。このことにより、外側仕切部６３は、内側仕切部６２とともに、指針軸８０に対して同心円状で、かつ、二重構造で、指針導光部３１および目盛り盤導光部３２を仕切るための仕切部を構成していることになる。ここで、外側仕切部６３の目盛り板２０側には、図５（図中には１つの凹部だけを６３ｃを示す）に示すように４つの凹部６３ｃが設けられており、４つの凹部６３ｃには、延出部３３ｄ〜３３ｇがそれぞれ嵌合している。また、外側仕切部６３には、円弧部３３ｃの上壁に係合する係合部６３ａ（図３参照）が設けられている。
【００３４】
なお、図５は、外側仕切部６３及び延出部３３ｄにおいて図５中Ｂ−Ｂ断面に相当する断面図である。
【００３５】
また、回動内機７０は、回路基板５０の裏側に配置されており、回動内機７０は、電力供給されて、指針軸８０を回転させる。この指針軸８０は、回路基板５０を貫通して、指針導光部３１の中空部を通り指針２０ａの回転基部２１に差し込まれている。
【００３６】
次に、実施形態の作動および特徴について説明する。
【００３７】
すなわち、赤色発光ダイオード４０ｂが点灯すると、赤色発光ダイオード４０ｂから出射される赤色光が指針導光部３１内に入射され、この赤色光は指針導光部３１により矢印Ｙ１、Ｙ２のごとく指針１０ａの回転基部２１に導かれてこの回転基部２１に入射される。これに伴い、この赤色光は指針１０ａ内を伝搬して外部に出射する。このことにより、指針１０ａが赤色光により発光することになる。
【００３８】
また、白色発光ダイオード４０ａが点灯したとき、白色発光ダイオード４０ａから出射される白色光が目盛り盤導光部３２内に入射されると、この白色光は目盛り盤導光部３２により目盛り板２０の裏面に導かれて目盛り板２０に入射される。このことにより、目盛り板２０は円弧状目盛りを白色光による照明により表示することになる。
【００３９】
また、赤色発光ダイオード４０ｂから出射される赤色光が指針導光部３１内に入射されると、この赤色光の一部が指針導光部３１から接続部３３にも伝搬する。また、白色発光ダイオード４０ａから目盛り盤導光部３２内に白色光が入射されると、この白色光の一部が接続部３３に伝搬する。
【００４０】
ここで、接続部３３は、上述のごとく、延出部３３ａから指針１０ｂの回転方向に迂回するように形成される円弧部３３ｃを有している。したがって、接続部３３として、指針導光部３１及び目盛り盤導光部３２の間を径方向に延ばして接続するように形成する場合（例えば、延出部３３ａを延長して導光部３１、３２の間を接続する場合）に比べて、導光部３１、３２の間における光の伝搬経路長が長くなる。このため、導光部３１、３２から光が接続部３３に伝搬してくるものの、接続部３３での光の減衰量を増やすことができる。このため、上述の従来技術で用いられた非透過部に関わりなく、接続部３３から出射される光量を少なくすることができるので、導光部３１、３３からの光が混色して出射されるのを抑制できる。
【００４１】
また、接続部３３は、上述のごとく、略Ｌ字状に曲がるように形成されて円弧部３３ｃ及び目盛り盤導光部３２の間を接続する連結部３３ｄ〜３３ｇを有している。したがって、円弧部３３ｃ及び目盛り盤導光部３２の間を径方向に延ばして接続する場合に比べて、円弧部３３ｃ及び目盛り盤導光部３２の間における光の伝搬経路長が長くなる。このため、円弧部３３ｃ及び目盛り盤導光部３２の間での光の減衰量を増やすことができるので、導光部３１、３３からの光が混色して出射されるのをより、一層抑制できる。
【００４２】
ここで、内側仕切部６２の凹部６２ｃおよび延出部３３ａ、３３ｂにより隙間が生じているとこの隙間を通して赤色光或いは白色光が漏れる可能があるものの、本実施形態においては、各凹部６２ｃには、延出部３３ａ、３３ｂが嵌合されている。したがって、凹部６２ｃおよび延出部３３ａ、３３ｂにより隙間が生じなく、赤色光或いは白色光が漏れるのを防ぎ得る。このことより、白色光および赤色光が混色して目盛り板２０、或いは指針３０ａに入射されることをより一層抑制することができる。
【００４３】
また、外側仕切部６３には、円弧部３３ｃの上壁に係合する係合部６３ａが設けられているので、係合部６３ａにより円弧部３３ｃを図示上側から保持することができる。
【００４４】
ところで、目盛り盤２０には、エンジン回転数、車速などを示す数字、単位（×１０００ｒ／ｍｉｎ、ｋｍ／ｈ）、円弧状目盛り等の表示部が設けられており、目盛り盤導光部３２、指針導光部３１からの光が混色して接続部３３から漏れる場合には、表示板の表示部を接続部３３に掛かるように配置すると、接続部３３から漏れた光で表示部が照明されるといった不具合が生じる。したがって、表示板の表示部としては、接続部３３に掛かるように配置することができない。
【００４５】
これに対して、本実施形態では、接続部３３での光の減衰量を増やすことができるので、
指針導光部３１、目盛り盤導光部３２からの光が接続部３３で漏れるのを抑制できる。したがって、接続部３３を、目盛り盤２０の表示部に関わりなく、自由に設計することができる。このため、例えば、エンジン回転数の単位１０４（×１０００ｒ／ｍｉｎ）を、表示部として、図６に示すように、接続部３０の連結部３３ｆに掛かるように配置することもできる。このため、接続部３３としては、断面積を大きくして剛性を増すように設計することもできる。
【００４６】
なお、図６は、導光部材３０に目盛り盤２０の表示部（すなわち、意匠部）だけを重ねた状態を示す図である。図６中、符号１０３はエンジン回転数を示す数字、符号１０５は、車速の単位を示す数字、符号１０２は車速を示す数字である。
【００４７】
（その他の実施形態）
上述の実施形態では、車両用のコンビネーションメータに指針装置を適用した例を示したが、これに限らず、車両用以外の各種の計器に指針装置を適用するようにしてもよい。
【図面の簡単な説明】
【００４８】
【図１】本発明に係る一実施形態のコンビネーションメータを示す正面図である。
【図２】上記実施形態の導光部材を示す斜視図である。
【図３】図２中Ａ−Ａ断面に相当する断面図である。
【図４】図２中Ｃ−Ｃ断面に相当する断面図である。
【図５】図２中Ｂ−Ｂ断面に相当する断面図である。
【図６】図６は、上記実施形態の導光部材に目盛り盤の表示部だけを重ねた状態を示す図である。
【符号の説明】
【００４９】
１０ａ、１０ｂ…指針、２０…目盛り板、３０…導光部材、３１…指針導光部、
３２…目盛り盤導光部、３３…接続部、  ３３ｃ…円弧部、３３ｄ〜３３ｇ…連結部、  ４０ａ、４０ｂ…発光ダイオード、５０…回路基板、６０…ケース、７０…回動内機、  ８０…指針軸。
【図１】
2005024530.tif 000003
【図２】
2005024530.tif 000004
【図３】
2005024530.tif 000005
【図４】
2005024530.tif 000006
【図５】
2005024530.tif 000007
【図６】
2005024530.tif 000008